(57)【要約】      （修正有）【課題】従来にない装飾要素を備えた斬新な形態の指輪を提供する。【解決手段】指輪は、指を挿通する環状体１０の少なくとも一部に、周面で囲まれた内部に収容空間が形成された管状部２０を具備し、管状部の周面には、透かし模様を形成する貫通孔部４１が設けられており、収容空間内には装飾体３１が収容されている。装飾体は、移動動可能に収容空間内に収容される構成とすることも、収容空間内に固着される構成とすることもできる。【選択図】図３
0003165632.tif 000002
【実用新案登録請求の範囲】
【請求項１】
指を挿通する環状体の少なくとも一部に、周面で囲まれた内部に収容空間が形成された管状部を具備し、
該管状部の周面には透かし模様を形成する貫通孔部が設けられており、
前記収容空間内には装飾体が収容されている
ことを特徴とする指輪。
【請求項２】
前記装飾体は前記貫通孔部を通過しない大きさ及び形状で、移動可能に前記収容空間内に収容されている
ことを特徴とする請求項１に記載の指輪。
【請求項３】
前記装飾体は、前記収容空間内に固着されている
ことを特徴とする請求項１に記載の指輪。
【考案の詳細な説明】
【技術分野】
【０００１】
本考案は、装身具としての指輪に関するものである。
【背景技術】
【０００２】
装身具としての指輪の装飾要素に関する形態は、指を挿通する環状体の外表面に、爪などの支持部を介して宝石などの装飾体が支持されている形態、装飾体が環状体の外表面から一部露呈するように環状体に埋設されている形態、環状体の外表面に形成された凹凸模様が装飾要素となっている形態、環状体を形成する材料の材質や色、環状体の断面形状、環状体の全体形状（波型、Ｖ型等）など、環状体自体が装飾要素となっている形態に大別することができる。そして、従来の指輪は、いずれも、これらの形態のうちの一つ、或いは、複数に該当する装飾要素を備えるものにとどまっている。
【考案の概要】
【考案が解決しようとする課題】
【０００３】
本考案は、従来にない装飾要素を備えた斬新な形態の指輪の提供を、課題とするものである。
【課題を解決するための手段】
【０００４】
上記課題を解決するため、本考案にかかる指輪は、「指を挿通する環状体の少なくとも一部に、周面で囲まれた内部に収容空間が形成された管状部を具備し、該管状部の周面には透かし模様を形成する貫通孔部が設けられており、前記収容空間内には装飾体が収容されている」ものである。
【０００５】
「管状部」は環状体の少なくとも一部に形成される構成であり、環状体の全体が管状部となっていても良い。
【０００６】
「装飾体」としては、鉱物やガラスの結晶、粒状や小片状の金属・樹脂・セラミックス・木材を例示することができる。
【０００７】
上記構成により、環状体に形成された管状部の内部に装飾体が収容されており、管状部の周面に形成された透かし模様を介して装飾体が視認されるという、従来の指輪にはない新規な装飾要素を具備する、斬新なデザインの指輪を提供することができる。
【０００８】
また、貫通孔部の形状や大きさにより、多様な透かし模様を表現できることに加え、貫通孔部と装飾体との間で、両者の大きさ及び形状の関係を異ならせることにより、透かし模様を介する装飾体の見え方を種々とすることができる。これにより、本考案の指輪は、デザインの多様性の幅が非常に広いという利点を有している。
【０００９】
なお、本考案の指輪は、収容空間に収容された装飾体に加え、環状体の外表面に支持された装飾体や、環状体の外表面に埋設された装飾体を備えていても良い。
【００１０】
本考案にかかる指輪は、上記構成に加え、「前記装飾体は前記貫通孔部を通過しない大きさ及び形状で、移動可能に前記収容空間内に収容されている」ものとすることができる。
【００１１】
上記構成により、環状体において管状部の内部に収容されている装飾体が、使用者の動きに合わせて自由に移動し、その動きが透かし模様を介して視認される。そして、装飾体の移動に伴って、装飾体による反射光の方向も種々に変化する。これにより、上記構成の本考案の指輪によれば、装飾体が環状体に固定的に支持された従来の指輪では発揮できなかった、新しい装飾的効果を発揮することができる。
【００１２】
本考案にかかる指輪は、上記構成に替えて、「前記装飾体は、前記収容空間内に固着されている」ものとすることもできる。
【００１３】
上述のように、装飾体が収容空間内を移動可能であるためには、装飾体の大きさ及び形状が、貫通孔部を通過しない大きさ及び形状でなければならない。これに対し、装飾体が収容空間内に固着される上記構成では、装飾体の大きさ及び形状が貫通孔部との関係で制限されることがないため、装飾体の選択の自由度が高いものとなる。また、貫通孔部の大きさ及び形状についても自由度が高いものとなるため、より多様な透かし模様を形成することができる。
【考案の効果】
【００１４】
以上のように、本考案によれば、従来にない装飾要素を備えた斬新な形態の指輪を提供することができる。
【図面の簡単な説明】
【００１５】
【図１】本考案の一実施形態の指輪の斜視図である。
【図２】図１の指輪の（ａ）正面図、及び、（ｂ）Ｘ−Ｘ線断面図である。
【図３】図１の指輪について、収容空間内に装飾体を移動可能に収容した状態の部分拡大正面図である。
【図４】図１の指輪について、収容空間内に装飾体を固着した状態の部分拡大正面図である。
【図５】他の実施形態の指輪の（ａ）斜視図、及び、（ｂ）正面図である。
【図６】異なる透かし模様が形成された指輪を例示する正面図である。
【考案を実施するための形態】
【００１６】
以下、本考案の一実施形態である指輪１について、図１乃至図４に基づいて説明する。指輪１は、指を挿通する環状体１０の少なくとも一部に、周面で囲まれた内部に収容空間Ｓが形成された管状部２０を具備し、管状部２０の周面には透かし模様を形成する貫通孔部４１が設けられており、収容空間Ｓ内に装飾体３１（又は、３１ｂ，３１ｃ）が収容されているものである。なお、図１及び図２は、装飾体を省略して図示している。
【００１７】
より詳細に説明すると、環状体１０の周面は、使用者の指に対面する内周面２１、内周面２１の両側からそれぞれ立ち上がる一対の側周面２２、及び、一対の側周面２２を架け渡して内周面２１と対向する外周面２３の四つの面からなる。すなわち、本実施形態の指輪１では、環状体１０の全体が、内部に収容空間Ｓを有する管状部２０である。
【００１８】
管状部２０（環状体１０）の周面のうち、一対の側周面２２部、及び、外周面２３には、複数の貫通孔部４１が設けられることによって透かし模様が形成されている。
【００１９】
このように周面に貫通孔部４１が設けられた管状部２０（環状体１０）は、別々に成形した部分を後に接合することにより形成することができる。例えば、一対の側周面２２及び外周面２３からなる断面略コ字形の成形体を、鋳込み成形によって一体的に成形する一方で、内周面２１を別体として成形し、その後、断面略コ字形の成形体の開端辺と内周面２１の側周辺とを、周方向に沿って接合することにより形成することができる。
【００２０】
なお、本実施形態の指輪１では、側周面２２の径方向の長さ（高さ）は、環状体１０のトップに近づくほど大きくなっている。すなわち、内部の収容空間Ｓは、環状体１０のトップに近いほど広くなっている。ここで、環状体１０の「トップ」とは、環状体１０に指を挿通する際に、手の甲側における指の中央に位置させる部分を指している。
【００２１】
指輪１において、収容空間Ｓに収容される装飾体は、図３に示すように、貫通孔部４１を通過しない大きさ及び形状で、収容空間Ｓ内を自由に移動可能な装飾体３１とすることができる。図３では、収容空間Ｓの径方向の高さが装飾体３１より大きい範囲Ｒで、装飾体３１が周方向に移動可能である場合を図示している。このように、収容空間Ｓ内を移動する装飾体３１は、単一であっても複数であっても良い。
【００２２】
なお、本実施形態の指輪１では、環状体１０のトップにおいて、装飾体を支持可能な枠体５１が外周面に設けられている。従って、収容空間Ｓに収容された装飾体３１とは別の装飾体を、この枠体５１に支持させることができる。
【００２３】
指輪１において、収容空間Ｓ内に収容される装飾体として、移動可能に収容空間Ｓ内に収容される上記の装飾体３１に替えて、図４に示すように、収容空間Ｓ内に固着されている装飾体３１ｂ、３１ｃとすることもできる。図４では、貫通孔部４１を通過しない大きさ及び形状の装飾体３１ｂ、及び、貫通孔部４１を通過可能な大きさ及び形状の装飾体３１ｃを含めて、複数の装飾体３１ｂ，３１ｃが収容空間Ｓ内に固着されている場合を例示している。ここで、装飾体３１ｂ、３１ｃの固着は、例えば、管状部２０（環状体１０）の周面の内表面に爪部を形成し、この爪部に装飾体３１ｂ、３１ｃを支持させることにより行うことができる。或いは、管状部２０（環状体１０）の周面の内表面に、装飾体３１を接着することによっても、装飾体３１ｂ、３１ｃを収容空間Ｓ内に固着することができる。
【００２４】
上記のように、本実施形態の指輪１は、管状部２０（環状体１０）の内部の収容空間Ｓ内に装飾体３１（又は、３１ｂ，３１ｃ）が収容されており、透かし模様を介して装飾体３１（又は、３１ｂ，３１ｃ）が視認されるという、従来にない斬新なデザインである。特に、本実施形態では、外周面２３と側周面２２との両方に貫通孔部４１が設けられているため、透かし模様を介して、いろいろな角度から装飾体３１（又は、３１ｂ，３１ｃ）を視認することができる。
【００２５】
また、本実施形態の指輪１では、収容空間Ｓに収容された装飾体３１（又は、３１ｂ，３１ｃ）に加えて、別の装飾体（図示しない）を枠体５１に支持させることもできる。これにより、収容空間Ｓに収容された装飾体３１（又は、３１ｂ，３１ｃ）と枠体５１に支持された装飾体とで形状、材質、色などを異ならせ、また、その組み合わせを種々とすることにより、指輪１のデザインを多様なものとすることができる。
【００２６】
更に、移動可能な装飾体３１を収容空間Ｓ内に収容した場合は、装飾体３１が使用者の動きに応じて移動する。そのため、使用者の動きに伴って装飾体３１からの反射光の方向が種々に変化し、装飾体が固定的に支持されている従来の指輪では得られない装飾的効果を発揮する。
【００２７】
なお、鎖などを介して装飾体が指輪に取り付けられている指輪は従前より存在し、この場合も使用者の動きに応じて装飾体が移動する。しかしながら、このような構成の指輪では、指から離れて揺れ動く装飾体及び鎖が邪魔になったり、指に当たって皮膚を傷つけたりするおそれがある。これに対し、本実施形態では、環状体１０の内部で装飾体３１が移動するため、移動する装飾体３１が邪魔になるおそれも、指を傷つけるおそれも回避されている。
【００２８】
一方、収容空間Ｓ内に装飾体３１ｂ，３１ｃが固着された構成では、装飾体３１ｂ，３１ｃの大きさ及び形状の自由度が高いため、指輪１のデザインを多様なものとすることができる。また、貫通孔部４１の大きさ及び形状の自由度も高いため、透かし模様の多様性によっても、指輪１のデザインの多様性を高めることができる。
【００２９】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３０】
例えば、上記では、環状体１０の全体が管状部２０である場合を例示したが、これに限定されず、環状体の一部のみを管状部とし、残部の環状体を中実の構造としても良い。例えば、トップを中心に環状体の全周の１／２〜１／６の長さを管状部とし、残部を中実とすれば、上記の装飾効果を十分に発揮しつつ、指輪の製造工程を簡易なものとすることができる。
【００３１】
また、上記では、装飾体３１が収容空間Ｓ内を周方向に移動可能な範囲が、管状部２０（環状体１０）のうちの範囲Ｒである場合を例示した。これに限定されず、収容空間に対する装飾体の大きさ及び形状の設定により、管状部の全範囲を装飾体が移動可能な構成とすることもできる。
【００３２】
更に、上記では、管状部２０（環状体１０）の周面において、側周面２２の外周辺と外周面２３の側周辺とが一致している指輪１を例示した。これに限定されず、図５に例示するように、環状体１０の周面において、貫通孔部４２が設けられた側周面２２ｂの外周縁が、貫通孔部４２が設けられた外周面２３ｂの高さより突出している構成の指輪２とすることもできる。
【００３３】
また、上記では、管状部２０（環状体１０）の周面において、一対の側周面２２及び外周面２３に、透かし模様を形成する貫通孔部４１が設けられている場合を例示したが、これに限定されない。本考案において、貫通孔部４１は環状部２０の周面に設けられる構成であるため、内周面２１に貫通孔部４１が設けられていても良い。
【００３４】
加えて、上記では、管状部２０（環状体１０）の周面が、一対の側周面２２、外周面２３、及び、内周面２１の四つの面からなる場合を例示したが、これに限定されず、例えば、管状部が円管状である場合など、境界のない連続した面で管状部が形成されているものであっても良い。
【００３５】
なお、透かし模様の形状は、指輪１，２について例示したように、ハート型をモチーフとしたものに限定されないことはもちろんである。例えば、図６（ａ）〜（ｃ）に例示する指輪３，４，５のように、貫通孔部４３，４４，４５の大きさ及び形状により種々の透かし模様を形成することができる。
【符号の説明】
【００３６】
１，２，３，４，５  指輪
１０  環状体
２０  管状部
２１  内周面（周面）
２２，２２ｂ  側周面（周面）
２３，２３ｂ  外周面（周面）
３１，３１ｂ，３１ｃ  装飾体
４１，４２，４３，４４，４５  貫通孔部
Ｓ  収容空間
【図１】
0003165632.tif 000003
【図２】
0003165632.tif 000004
【図３】
0003165632.tif 000005
【図４】
0003165632.tif 000006
【図５】
0003165632.tif 000007
【図６】
0003165632.tif 000008